(57)【要約】  耳に対する安定した装着状態を確保する。  音声を出力するスピーカーと、内部の空間がスピーカーから出力される音声を導く音導空間として形成された音導フックを有すると共に内部にスピーカーが配置された筐体と、筐体に連続して設けられた耳宛部とを備え、音導フックには音声を耳へ向けて発する開口が形成され、音導フックが耳介の根元部分に耳輪側から装着され、耳宛部が耳介の根元部分に耳垂側から装着される。これにより、音導フックが耳介の根元部分に耳輪側から装着されると共に耳宛部が耳介の根元部分に耳垂側から装着され、音導フックと耳宛部が略反対側から耳に装着されるため、耳に対する安定した装着状態を確保することができる。
2017134968.tif 000002
【特許請求の範囲】
【請求項１】
音声を出力するスピーカーと、
内部の空間が前記スピーカーから出力される音声を導く音導空間として形成された音導フックを有すると共に内部に前記スピーカーが配置された筐体と、
前記筐体に連続して設けられた耳宛部とを備え、
前記音導フックには音声を耳へ向けて発する開口が形成され、
前記音導フックが耳介の根元部分に耳輪側から装着され、
前記耳宛部が耳介の根元部分に耳垂側から装着される
音響出力装置。
【請求項２】
前記開口が前記耳介の内側空間に位置される
請求項１に記載の音響出力装置。
【請求項３】
前記開口が耳甲介腔に位置される
請求項２に記載の音響出力装置。
【請求項４】
前記開口が前記音導フックにおける外耳道に対向する側に形成された
請求項１に記載の音響出力装置。
【請求項５】
前記音導フックの前記開口を有する部分が前記音導フックの他の部分に対して着脱可能な着脱部として設けられた
請求項１に記載の音響出力装置。
【請求項６】
前記音導フックと前記耳宛部が連続する略同じ曲率の円弧状に形成された
請求項１に記載の音響出力装置。
【請求項７】
前記耳宛部が前記音導フックより硬度の低い材料によって形成された
請求項１に記載の音響出力装置。
【請求項８】
前記耳宛部が前記音導フックに対して弾性変形可能にされた
請求項１に記載の音響出力装置。
【請求項９】
耳に装着された状態において前記音導フックの前記開口を有する部分が耳に非接触の状態とされる
請求項１に記載の音響出力装置。
【請求項１０】
前記筐体の内部にケース体が配置され、
前記ケース体の内部に前記スピーカーと前記スピーカーを制御する制御基板とが配置された
請求項１に記載の音響出力装置。
【請求項１１】
前記筐体と前記耳宛部がそれぞれ一対ずつ設けられ、
前記一対の筐体の内部にそれぞれ前記スピーカーが配置された
請求項１に記載の音響出力装置。
【請求項１２】
一方の前記筐体の内部に制御基板が配置され、
他方の前記筐体の内部に電池が配置された
請求項１１に記載の音響出力装置。
【請求項１３】
前記一対の筐体を連結するバンドが設けられた
請求項１１に記載の音響出力装置。
【請求項１４】
前記バンドが帯状に形成された
請求項１３に記載の音響出力装置。
【請求項１５】
前記筐体と前記耳宛部がそれぞれ一つずつ設けられ、
前記筐体の内部に電池が配置された
請求項１に記載の音響出力装置。
【請求項１６】
前記筐体の一部が耳介の後側において側頭部に接触された状態で位置される
請求項１に記載の音響出力装置。
【請求項１７】
前記音導フックが屈曲可能にされた
請求項１に記載の音響出力装置。
【発明の詳細な説明】
【技術分野】
【０００１】
本技術は内部にスピーカーが配置され耳に装着されて使用される音響出力装置についての技術分野に関する。
【先行技術文献】
【特許文献】
【０００２】
【特許文献１】特開２００４−２０８２２０
【特許文献２】特開２０１４−９６７３９
【背景技術】
【０００３】
頭部に装着されてヘッドホンやイヤホンとして使用されスピーカーから音声の出力が行われる音響出力装置がある。【０００４】
音響出力装置は、近年、室内で使用される態様の他に、室外で使用される態様も増加している。音響出力装置が室外で使用される場合には、使用者ばかりでなく使用者の周辺に存在する歩行者や運転者等の安全性をも考慮し、使用者において音響出力装置から出力される音声と外部の音声との双方の音声の聞き取りが可能とされていることが望ましい。【０００５】
このような音響出力装置から出力される音声と外部の音声との双方の音声の聞き取りが可能とされるタイプとして、各種の音響出力装置が開発されている（例えば、特許文献１及び特許文献２参照）。【０００６】
特許文献１に記載された音響出力装置にあっては、筐体（ハウジング）の内部に音声出力用のドライバーとして振動素子が配置され、振動素子に生じる振動が外耳道の周囲に存在する耳骨に伝達され、耳骨から頭蓋骨等を介して脳に伝達されて音声の認識が行われるように構成されている。【０００７】
この音響出力装置には筐体と振動子を貫通する貫通孔が形成されており、外部の音声が振動子の振動を遮ることなく貫通孔を通して使用者に伝達される。【０００８】
特許文献２に記載された音響出力装置にあっては、筐体が挿入部と伝達部材によって構成され、伝達部材の内部に音声出力用のドライバーとして電気音響変換素子と振動体が配置され、挿入部の内外において移動可能な栓が設けられている。挿入部には外部の音声の聞き取りを可能とする貫通孔が形成されている。【０００９】
この音響出力装置は、挿入部の一部が外耳道に挿入され、伝達部材が挿入部の前側において耳珠及び対耳珠に接した状態で耳に装着される。電気音響変換素子に生じる振動は振動体から伝達部材に伝達され、伝達された振動が耳骨から頭蓋骨等を介して脳に伝達されて音声の認識が行われる。外部の音声は栓と鼓膜の間の空間にまで振動して使用者に伝達され、このとき栓を移動させることにより外部の音声の聞こえ方を変化させることが可能とされている。
【発明の概要】
【発明が解決しようとする課題】
【００１０】
ところで、特許文献１に記載された音響出力装置は、軸状に形成されており、外耳道に挿入された状態で使用されるため、使用者の動きが大きい場合等には耳から脱落するおそれがある。【００１１】
一方、特許文献２に記載された音響出力装置は、軸状に形成された外耳道に挿入される部分と略半円弧状に形成され耳介の根元部分に装着される引掛部材とを有しており、引掛部材を有している分、特許文献１に記載された音響出力装置に比して装着状態の安定性が高くされている。【００１２】
しかしながら、引掛部材が上方から耳介の根元部分に引掛けられている状態であるため、使用者の動きによって上下方向への外力が付与されると、引掛部材が耳から浮き上がって音響出力装置が適正な装着位置に対してずれてしまい、装着状態の十分な安定性が確保されないおそれがある。【００１３】
そこで、本技術音響出力装置は、上記した問題点を克服し、耳に対する安定した装着状態を確保することを目的とする。
【課題を解決するための手段】
【００１４】
第１に、本技術に係る音響出力装置は、音声を出力するスピーカーと、内部の空間が前記スピーカーから出力される音声を導く音導空間として形成された音導フックを有すると共に内部に前記スピーカーが配置された筐体と、前記筐体に連続して設けられた耳宛部とを備え、前記音導フックには音声を耳へ向けて発する開口が形成され、前記音導フックが耳介の根元部分に耳輪側から装着され、前記耳宛部が耳介の根元部分に耳垂側から装着されるものである。【００１５】
これにより、音導フックが耳介の根元部分に耳輪側から装着されると共に耳宛部が耳介の根元部分に耳垂側から装着され、音導フックと耳宛部が略反対側から耳に装着される。【００１６】
第２に、上記した音響出力装置においては、前記開口が前記耳介の内側空間に位置されることが望ましい。【００１７】
これにより、開口が外耳道に近付いて位置される。【００１８】
第３に、上記した音響出力装置においては、前記開口が耳甲介腔に位置されることが望ましい。【００１９】
これにより、開口が外耳道に近付いて位置される。【００２０】
第４に、上記した音響出力装置においては、前記開口が前記音導フックにおける外耳道に対向する側に形成されることが望ましい。【００２１】
これにより、音導フックを導かれた音声が開口から外耳道へ向けて発せられる。【００２２】
第５に、上記した音響出力装置においては、前記音導フックの前記開口を有する部分が前記音導フックの他の部分に対して着脱可能な着脱部として設けられることが望ましい。【００２３】
これにより、音導フックの開口を有する部分を耳の大きさや形状等に応じて取り替えることが可能になる。【００２４】
第６に、上記した音響出力装置においては、前記音導フックと前記耳宛部が連続する略同じ曲率の円弧状に形成されることが望ましい。【００２５】
これにより、音導フックと耳宛部が耳介の根元部分の形状に略一致された形状に形成される。【００２６】
第７に、上記した音響出力装置においては、前記耳宛部が前記音導フックより硬度の低い材料によって形成されることが望ましい。【００２７】
これにより、耳介の根元部分に耳輪側から装着される音導フックの硬度が高く耳介の根元部分に耳垂側から装着される耳宛部の硬度が低くなる。【００２８】
第８に、上記した音響出力装置においては、前記耳宛部が前記音導フックに対して弾性変形可能にされることが望ましい。【００２９】
これにより、耳宛部を音導フックに対して弾性変形させて両者の間の隙間を大きくした状態で音導フックと耳宛部を耳に装着することが可能になる。【００３０】
第９に、上記した音響出力装置においては、耳に装着された状態において前記音導フックの前記開口を有する部分が耳に非接触の状態とされることが望ましい。【００３１】
これにより、音声が発せられる開口を有する部分が耳に接触されない。【００３２】
第１０に、上記した音響出力装置においては、前記筐体の内部にケース体が配置され、前記ケース体の内部に前記スピーカーと前記スピーカーを制御する制御基板とが配置されることが望ましい。【００３３】
これにより、スピーカーと制御基板がケース体によって保護される。【００３４】
第１１に、上記した音響出力装置においては、前記筐体と前記耳宛部がそれぞれ一対ずつ設けられ、前記一対の筐体の内部にそれぞれ前記スピーカーが配置されることが望ましい。【００３５】
これにより、音響出力装置がステレオタイプとして機能すると共に一対の筐体において重量的に良好なバランスが確保される。【００３６】
第１２に、上記した音響出力装置においては、一方の前記筐体の内部に制御基板が配置され、他方の前記筐体の内部に電池が配置されることが望ましい。【００３７】
これにより、音響出力装置における耳に装着される両側の部分の重量の差が低減され、重量的に良好なバランスが確保される。【００３８】
第１３に、上記した音響出力装置においては、前記一対の筐体を連結するバンドが設けられることが望ましい。【００３９】
これにより、バンドによって両方のスピーカーに対する音声信号の送出及び電流の供給を行うことが可能になる。【００４０】
第１４に、上記した音響出力装置においては、前記バンドが帯状に形成されることが望ましい。【００４１】
これにより、頭部の後側において重力によってバンドが垂れ下がり難く、使用者の首にバンドが接触され難い。【００４２】
第１５に、上記した音響出力装置においては、前記筐体と前記耳宛部がそれぞれ一つずつ設けられ、前記筐体の内部に電池が配置されることが望ましい。【００４３】
これにより、片側の耳に音導フックを装着して使用することが可能になる。【００４４】
第１６に、上記した音響出力装置においては、前記筐体の一部が耳介の後側において側頭部に接触された状態で位置されることが望ましい。【００４５】
これにより、音導フックが耳介の根元部分に装着されると共に筐体の一部が側頭部に接触された状態で音響出力装置が耳に装着される。【００４６】
第１７に、上記した音響出力装置においては、前記音導フックが屈曲可能にされることが望ましい。【００４７】
これにより、音導フックの耳への装着時に耳の形や大きさに応じて音導フックを変形することが可能になる。
【発明の効果】
【００４８】
本技術によれば、音導フックが耳介の根元部分に耳輪側から装着されると共に耳宛部が耳介の根元部分に耳垂側から装着され、音導フックと耳宛部が略反対側から耳に装着されるため、耳に対する安定した装着状態を確保することができる。【００４９】
尚、本明細書に記載された効果はあくまでも例示であって限定されるものではなく、他の効果があってもよい。
【図面の簡単な説明】
【００５０】
【図１】図２乃至図１５と共に本技術音響出力装置の実施の形態を示すものであり、本図は、音響出力装置が装着される耳の斜視図である。
【図２】図１のＩＩ−ＩＩ線に沿う断面図である。
【図３】音響出力装置の斜視図である。
【図４】音響出力装置を一部を断面にして示す斜視図である。
【図５】筐体の内部に配置される構造等を示す分解斜視図である。
【図６】屈曲部の取付部と着脱部の被取付部との別の例を示す拡大断面図である。
【図７】音響出力装置の一部を耳宛部が弾性変形されていない状態で示す側面図である。
【図８】音響出力装置の一部を耳宛部が弾性変形された状態で示す側面図である。
【図９】音響出力装置が耳に装着された状態を示す斜視図である。
【図１０】音響出力装置が耳に装着された状態を図１０とは異なる角度から見た状態で示す斜視図である。
【図１１】音響出力装置が耳に装着された状態を示す背面図である。
【図１２】音響出力装置が耳に装着され音導フックの開口が外耳孔付近に位置された状態を一部を断面にして示す正面図である。
【図１３】音響出力装置が耳に装着され音導フックの開口が耳甲介腔に位置された状態を一部を断面にして示す正面図である。
【図１４】音響出力装置の別の例を示す斜視図である。
【図１５】音響出力装置のまた別の例を示す斜視図である。
【発明を実施するための形態】
【００５１】
以下に、本技術音響出力装置を実施するための形態を添付図面に従って説明する。
【００５２】
以下に示した実施の形態は、本技術音響出力装置をイヤホンに適用したものである。但し、本技術の適用範囲はイヤホンに限られることはなく、ヘッドホン等の他の各種の音響出力装置に広く適用することができる。
【００５３】
＜耳の構造＞
先ず、音響出力装置が装着される耳の構造について説明する（図１及び図２参照）。
【００５４】
耳１００、１００は頭部２００の一部とされており、それぞれ耳介１０１、１０１と頭部２００の内部に存在する鼓膜や三半規管や蝸牛等の各部とから成る。頭部２００のうち耳介１０１、１０１の内側の部分はそれぞれ側頭部２０１、２０１であり、耳介１０１、１０１は側頭部２０１、２０１から左方又は右方に突出されている。
【００５５】
耳介１０１は内側空間１５０を有するように全体として略前方に開口された浅い凹状にされ、外周部が耳輪１０２と称される部分と耳輪１０２に連続され側頭部２０１の近傍に位置された耳輪脚１０３と称される部分とを有している。
【００５６】
耳輪１０２の内側の部分は凹状の舟状窩１０４と称され、舟状窩１０４の内側における下側略半分の部分は凸状の対耳輪１０５と称される。対耳輪１０５の上方には対耳輪１０５に連続して二股状の凸状の部分が存在し、この二股状の部分のうちの外側の部分と内側の部分がそれぞれ対耳輪上脚１０６と対耳輪下脚１０７と称される。対耳輪上脚１０６と対耳輪下脚１０７の間の部分は凹状の三角窩１０８と称され、対耳輪１０５及び対耳輪下脚１０７の内側の部分は凹状の耳甲介艇１０９と称される。
【００５７】
対耳輪１０５の下側に連続する部分は側頭部２０１側に稍膨出され、対耳珠１１０と称される部分である。対耳珠１１０に対向する側頭部２０１側の部分は対耳珠１１０側に稍膨出された耳珠１１１と称され、耳輪１０２の下側に連続する下端部が耳垂１１２と称される。
【００５８】
対耳珠１１０と耳珠１１１の間の部分には外耳道１１３の入口である外耳孔１１３ａが存在し、外耳道１１３は鼓膜や三半規管等に連通されている。耳介１０１の内側空間１５０のうち、対耳輪１０５と対耳輪下脚１０７と耳輪脚１０３によって囲まれた空間、即ち、耳甲介艇１０９の前側の空間は耳甲介腔１１４と称され、外耳道１１３の外耳孔１１３ａに連通されている。内側空間１５０のうち耳甲介腔１１４の下側に連続しＵ字状に開いた空間は珠間切痕１１５と称される空間である。
【００５９】
耳介１０１の内側空間１５０は耳甲介腔１１４と珠間切痕１１５と外耳道１１３の外耳孔１１３ａ付近の空間とを含み、舟状窩１０４、対耳輪１０５、対耳輪上脚１０６、対耳輪下脚１０７、三角窩１０８、対耳珠１１０及び耳珠１１１の前側の空間をも含む空間である。
【００６０】
＜音響出力装置の概略構成＞
次に、音響出力装置の構成について説明する（図３乃至図５参照）。
【００６１】
音響出力装置１は筐体２、２と耳宛部３、３とバンド４を有している。
【００６２】
筐体２、２はバンド４によって連結されている。筐体２は、例えば、シリコン等のゴム材料によって形成され、バンド４に連続された配置部５と、配置部５のバンド４とは反対側の部分に連結された筒状部６と、筒状部６に着脱可能にされた着脱部７とを有している。
【００６３】
筐体２、２の内部にはケース体８、８が配置されている。ケース体８は筐体２の配置部５と筒状部６の一端部とに跨る位置に配置されている。ケース体８は一方に開口された箱状のケース部８ａとケース部８ａを閉塞する蓋部８ｂとから成る。ケース体８には音声出力孔８ｃが形成されている。
【００６４】
ケース体８、８の内部にはそれぞれスピーカー９、９が配置されている。スピーカー９としては、例えば、ダイナミック型のドライバーユニットが採用されていてもよい。
【００６５】
尚、筐体２、２の一方又は双方には、例えば、ＵＳＢ（Universal Serial Bus）端子や充電端子等の各種の接続端子、マイクロフォン用の音声入力孔等が形成されていてもよい。筐体２に接続端子が形成されている場合には、接続端子が形成された筐体２の内部に、接続端子に対応する回路が配置される。また、筐体２にマイクロフォン用の音声入力孔が形成されている場合には、音声入力孔が形成された筐体２の内部に、マイクロフォンが配置される。
【００６６】
一方の筐体２の内部にはスピーカー９とともに制御基板１０が配置され、制御基板１０にはスピーカー９、９を動作させる駆動回路や無線通信用の通信用回路が形成されている。従って、音響出力装置１は無線通信によって音楽プレーヤー等の他の機器からの音声信号を受信し、受信した音声信号を変換してスピーカー９、９から音声として出力することや、音楽プレーヤーとの接続認証等のペアリング処理が可能とされている。音声信号を受信するための無線通信としては、例えば、ブルートゥース（Bluetooth）（登録商標）やＷiＦi（Wireless Fidelity）、接続認証等のペアリング処理用の無線通信としてのＮＦＣ（Near Field Communication）等の近距離無線通信に対応したものであってもよい。
【００６７】
制御基板１０はスピーカー９とともにケース体８の内部に配置されている。
【００６８】
このように音響出力装置１にあっては、筐体２の内部に配置されたケース体８の内部にスピーカー９と制御基板１０が配置されているため、スピーカー９と制御基板１０がケース体８によって保護され、スピーカー９と制御基板１０の損傷が防止されてスピーカー９からの音声の良好な出力状態を確保することができる。
【００６９】
他方の筐体２の内部にはスピーカー９とともに電池（バッテリー）１１が配置されている。電池１１としては、使い捨てタイプであってもよく、充電可能なタイプであってもよい。特に、電池１１が使い捨てタイプである場合には、筐体２の一部が開閉可能とされ、電池１１の交換が可能な構成にされていることが望ましい。また、電池１１が充電可能なタイプである場合にも筐体２の一部が開閉可能とされ、電池１１の交換が可能とされていてもよい。
【００７０】
電池１１はスピーカー９とともにケース体８の内部に配置されている。
【００７１】
このように音響出力装置１にあっては、筐体２の内部に配置されたケース体８の内部にスピーカー９と電池１１が配置されているため、スピーカー９と電池１１がケース体８によって保護され、スピーカー９と電池１１の損傷が防止されてスピーカー９からの音声の良好な出力状態を確保することができる。
【００７２】
電池１１の電力はスピーカー９、９と制御基板１０に供給されてスピーカー９、９と制御基板１０が動作される。一方の筐体２の内部に配置されたスピーカー９と制御基板１０への電池１１からの電力の供給はバンド４を介して行われる。
【００７３】
従って、バンド４の内部には電力を供給するための電線が配設されている。また、バンド４の内部には音声信号や他の各種の信号を送受信するための信号線も配設されており、信号線によって一方の筐体２の内部に配置された制御基板１０から他方の筐体２の内部に配置されたスピーカー９への音声信号の出力等が行われる。
【００７４】
制御基板１０が配置されたケース体８におけるケース部８ａの外面にはスイッチ用基板１２が取り付けられている。スイッチ用基板１２の外面には電源スイッチ１２ａと音量調節スイッチ１２ｂ、１２ｂが搭載されている。スイッチ用基板１２は制御基板１０と接続されている。電源スイッチ１２ａは電源の投入及び遮断を行うためのスイッチであり、音量調節スイッチ１２ｂ、１２ｂは一方が音量を大きくするためのスイッチであり他方が音量を小さくするためのスイッチである。
【００７５】
スイッチ用基板１２の外面側には操作板１３が配置されている。操作板１３には三つの操作片部１３ａ、１３ｂ、１３ｂが設けられ、操作片部１３ａ、１３ｂ、１３ｂがそれぞれ電源スイッチ１２ａと音量調節スイッチ１２ｂ、１２ｂに接した状態で位置されている。
【００７６】
スイッチ用基板１２と操作板１３はケース体８とともに筐体２の内部に配置されている。スイッチ用基板１２と操作板１３は、音響出力装置１が耳１００に装着された状態において、例えば、下方又は斜め下方を向く状態にされる。
【００７７】
筒状部６は配置部５に連結され配置部５から離隔するに従って径が小さくされた連結部１４と径が一様にされた屈曲部１５とから成る。
【００７８】
連結部１４の内部にはケース体８の一部が配置され、連結部１４の内部に配置されたケース体８の一部の内部にスピーカー９が配置されている。
【００７９】
屈曲部１５は略半円弧状に形成されている。屈曲部１５の先端部は取付部１５ａとして設けられている。
【００８０】
着脱部７は一端部を除いて屈曲部１５と同じ径に形成された筒状に形成され、一端部が開口され他端部（先端部）が閉塞されている。着脱部７は、例えば、屈曲部１５と同じ曲率の円弧状に形成されている。
【００８１】
着脱部７は、例えば、筒状部６と同じ材料によって形成されている。但し、着脱部７は筒状部６より硬度の低い材料によって形成されていてもよい。
【００８２】
着脱部７は一端部が屈曲部１５より径が一回り小さくされた被取付部７ａとして設けられている。着脱部７の他端寄りの位置には、例えば、二つの開口７ｂ、７ｂが形成されている。開口７ｂ、７ｂは着脱部７の長手方向に対して直交する方向に貫通されている。開口７ｂ、７ｂは、音響出力装置１が耳１００に装着された状態において、着脱部７の外耳道１１３に対向する側の部分に形成されている。
【００８３】
尚、開口７ｂの数は任意であり、一つが形成されていてもよく、三つ以上が形成されていてもよい。
【００８４】
着脱部７は被取付部７ａが取付部１５ａに嵌合されて屈曲部１５に取り付けられる。また、着脱部７は屈曲部１５から引き抜くことにより屈曲部１５から取り外すことができる。
【００８５】
尚、上記には、被取付部７ａが取付部１５ａに嵌合されて着脱部７が屈曲部１５に取り付けられる例を示したが、着脱部７と屈曲部１５の一方に突部を設け他方に凹部を形成して着脱部７が屈曲部１５に取り付けられる構成にすることも可能である（図６参照）。例えば、着脱部７の一端寄りの位置に環状の係合突部７ｃが設けられ、屈曲部１５の先端寄りの位置に環状の係合凹部１５ｂが形成され、係合突部７ｃと係合凹部１５ｂが係合されて着脱部７が屈曲部１５に取り付けられる構成にすることが可能である。
【００８６】
上記のように着脱部７は屈曲部１５に対して着脱可能にされており、着脱部７としては形状や大きさが異なる各種のタイプが用いられる。例えば、着脱部７として、長さが異なるタイプ、曲率が異なるタイプ等が用いられる。このような長さや曲率が異なる着脱部７を用いることにより、耳１００の大きさや形状に応じて長さや曲率が異なる着脱部７を屈曲部１５に取り付けて開口７ｂ、７ｂを所望の位置に位置させることができる。
【００８７】
また、例えば、着脱部７として、太さが先端に行くに従って太くなるタイプや先端に行くに従って細くなるタイプが用いられてもよい。着脱部７として先端に行くに従って太くなるタイプが用いられることにより、スピーカー９から出力される音声の聞き取りを行い易くなる。一方、着脱部７として先端に行くに従って細くなるタイプが用いられることにより、外部の音声の聞き取りを行い易くなると共にスピーカー９から出力される音声の音漏れを抑制することができる。
【００８８】
さらに、例えば、着脱部７として、外耳道１１３に近付く方向へ傾斜されたタイプを用いることも可能である。このようなタイプの着脱部７が用いられることにより、スピーカー９から出力される音声の音漏れが抑制され音声を聞き取り易くなる。
【００８９】
上記した屈曲部１５と着脱部７はスピーカー９から出力される音声を内部の空間において導く音導フック１６として構成される。従って、音導フック１６における内部の空間はスピーカー９から出力される音声を導く音導空間１６ａとして形成されている。音導空間１６ａを導かれた音声は着脱部７に形成された開口７ｂ、７ｂから外部へ向けて発せられる。
【００９０】
尚、着脱部７は変形（屈曲）可能であり変形された状態が保持される材料（フレキシブルナ材料）によって形成されていてもよい。着脱部７がこのような材料によって形成されることにより、音響出力装置１が耳１００に装着された状態において、着脱部７を所望の状態に変形させて、例えば、開口７ｂ、７ｂを外耳道１１３に近付けたりすることや、開口７ｂ、７ｂから発せられる音声の向きを必要に応じて変更することが可能になる。
【００９１】
上記したように、音響出力装置１にあっては、音導フック１６の開口７ｂ、７ｂを有する部分が音導フック１６の他の部分に対して着脱可能な着脱部７として設けられている。従って、音導フック１６の開口７ｂ、７ｂを有する部分を耳１００の大きさや形状等に応じて取り替えることが可能になり、耳１００の大きさや形状等に拘わらず音声の良好な聞取状態を確保することができる。
【００９２】
また、上記したように、筒状部６と着脱部７はゴム材料によって形成されており、音導フック１６はゴム材料によって構成される。音導フック１６は使用者の耳介１０１の根元部分に装着される部分であり、音導フック１６がゴム材料によって形成されることにより、音導フック１６が耳１００にフィットした状態で装着され、音響出力装置１の良好な装着感を確保することができる。
【００９３】
尚、音導フック１６は樹脂材料によって形成されていてもよく、また、多層構造によって構成されていてもよい。例えば、音導フック１６が内周側の部分と外周側の部分とを有する２層構造にされ、金属材料の内層とゴム材料又は樹脂材料の外層とによって構成されていてもよい。音導フック１６に金属材料を用いることにより、音導フック１６の剛性を高くすることが可能になり、特に、金属材料としてアルミニウム等を用いることにより音導フック１６の軽量化による音響出力装置１の良好な装着感を確保することが可能になる。
【００９４】
尚、上記には、着脱部７が変形（屈曲）可能であり変形された状態が保持される材料によって形成された例を示したが、筒状部６と着脱部７の双方が変形（屈曲）可能であり変形された状態が保持される材料によって形成されていてもよい。筒状部６と着脱部７がこのような材料によって形成されることにより、音響出力装置１が耳１００に装着された状態において、音導フック１６を所望の状態に変形させて、例えば、開口７ｂ、７ｂを外耳道１１３に近付けたりすることや、開口７ｂ、７ｂから発せられる音声の向きを必要に応じて変更することが可能になる。
【００９５】
また、音導フック１６の耳１００への装着時に耳１００の形や大きさに応じて音導フック１６を変形することが可能になるため、音響出力装置１の耳１００への安定した装着状態を確保することができる。
【００９６】
耳宛部３は配置部５と筒状部６の境界部分から突出されている（図３乃至図５参照）。
【００９７】
耳宛部３は筐体２より高度の低い材料、例えば、ゴム材料によって形成され、筒状部６に対して弾性変形可能にされている。耳宛部３は弾性変形されていない状態において、音導フック１６と同じ曲率の円弧状にされて、先端面３ａが音導フック１６の先端面１６ｂに対向した状態で位置されている（図４の拡大図及び図７参照）。
【００９８】
耳宛部３は、例えば、筒状部６と一体に形成されている。耳宛部３が筒状部６と一体に形成されることにより、部品点数の削減による音響出力装置１の製造コストの低減を図ることができる。また、耳宛部３が筒状部６と一体に形成されることにより、耳宛部３を筒状部６に結合する作業を行う必要がなく、製造工程の削減による音響出力装置１の製造コストの低減をも図ることができる。
【００９９】
耳宛部３が筐体２に対して弾性変形されることにより、先端面３ａを音導フック１６の先端面１６ｂに対して離隔させ、先端面３ａと先端面１６ｂの間に大きな隙間を形成することが可能にされている（図８参照）。
【０１００】
バンド４は両端部が筐体２、２の配置部５、５に連続されている（図３及び図４参照）。バンド４は、例えば、ゴム材料によって帯状に形成され、上下方向が幅方向になる向きにされている。
【０１０１】
バンド４は、例えば、配置部５、５と一体に形成されている。バンド４が配置部５、５と一体に形成されることにより、部品点数の削減による音響出力装置１の製造コストの低減を図ることができる。また、バンド４が配置部５、５と一体に形成されることにより、バンド４を配置部５、５に結合する作業を行う必要がなく、製造工程の削減による音響出力装置１の製造コストの低減をも図ることができる。
【０１０２】
上記したように、音響出力装置１は、それぞれ一対の筐体２、２と耳宛部３、３が設けられ、筐体２、２の内部にそれぞれスピーカー９、９が配置されている。
【０１０３】
従って、音響出力装置１がステレオタイプとして機能し、音響出力装置１の機能性の向上が図られ良質の音声を聞き取ることができる。また、筐体２、２の内部にそれぞれスピーカー９、９が配置されているため、重量的に耳１００、１００に対する良好なバランスが確保され、音響出力装置１を安定した状態で耳１００、１００に装着することができる。
【０１０４】
また、音響出力装置１にあっては、一方の筐体２の内部に制御基板１０が配置され、他方の筐体２の内部に電池１１が配置されている。従って、音響出力装置１における耳１００、１００に装着される両側の部分の重量の差が低減され、重量的に良好なバランスが確保され、音響出力装置１を安定した状態で耳１００に装着することができる。
【０１０５】
さらに、筐体２、２がバンド４によって連結されているため、バンド４によって両方のスピーカー９、９に対する音声信号の送出及び電流の供給を行うことが可能になり、音響出力装置１の良好な機能性を確保することができる。
【０１０６】
また、筐体２、２がバンド４によって連結されているため、バンド４によって連結された筐体２、２の耳１００、１００に対する位置が安定し、音響出力装置１を安定した状態で耳１００、１００に装着することができる。
【０１０７】
＜音響出力装置の耳に対する装着状態＞
以下に、音響出力装置１の耳１００、１００に対する装着状態について説明する（図９乃至図１３参照）。
【０１０８】
音響出力装置１は、音導フック１６、１６がそれぞれ頭部２００のうち耳介１０１、１０１の根元部分、即ち、耳介１０１、１０１と側頭部２０１、２０１の境界部分又はその周辺部分に耳輪１０２、１０２側（上側）から装着される。
【０１０９】
また、耳宛部３、３がそれぞれ耳介１０１、１０１の根元部分、即ち、耳介１０１、１０１と側頭部２０１、２０１の境界部分又はその周辺部分に耳垂１１２側から装着される。
【０１１０】
このとき耳宛部３、３は音導フック１６、１６に対して弾性変形可能にされているため、耳宛部３、３を音導フック１６、１６に対して弾性変形させて先端面３ａと先端面１６ｂの間の隙間を大きくした状態で音導フック１６、１６と耳宛部３、３を耳１００、１００に装着することが可能になり、音響出力装置１の耳１００、１００への装着を容易に行うことができる。
【０１１１】
また、音響出力装置１は、耳宛部３、３が弾性変形されて先端面３ａと先端面１６ｂの間の隙間が耳１００、１００に装着される前の状態における隙間より大きくされた状態で耳１００、１００に装着される。
【０１１２】
従って、音導フック１６と耳宛部３には互いに近付く方向への力が付与されるため、音響出力装置１は、音導フック１６と耳宛部３がそれぞれ耳介１０１の根元部分に押し付けられた状態で耳１００に装着され、音響出力装置１を耳１００に安定した状態で装着することができる。
【０１１３】
上記のように音導フック１６、１６と耳宛部３、３が耳介１０１、１０１の根元部分に装着された状態においては、配置部５、５が側頭部２０１、２０１における耳介１０１、１０１の後側の部分に押し当てられる（図１１参照）。
【０１１４】
このとき着脱部７、７は先端部がそれぞれ耳介１０１、１０１に非接触の状態で少なくとも一部が耳介１０１、１０１の内側空間１５０、１５０に位置される（図１２参照）。着脱部７、７は外耳孔１１３ａ、１１３ａの全体を塞がない状態にされ、それぞれ開口７ｂ、７ｂが外耳道１１３、１１３の外耳孔１１３ａ、１１３ａ付近に位置され、音導フック１６の開口７ｂ、７ｂを有する部分が耳１００に非接触の状態とされる。
【０１１５】
このように音響出力装置１は耳１００に装着された状態において音導フック１６の開口７ｂ、７ｂを有する部分が耳１００に非接触の状態とされるため、音声が発せられる開口７ｂ、７ｂを有する部分が耳１００に接触されない状態になるため、音響出力装置１から出力される音声と外部の音声との良好な認識性を確保することができると共に耳１００に対する装着状態における違和感の発生を低減することができる。
【０１１６】
また、開口７ｂ、７ｂは音導フック１６における外耳道１１３に対向する側に形成されているため、音導フック１６を導かれた音声が開口７ｂ、７ｂから外耳道１１３へ向けて発せられ、音声を良好に聞き取ることができる。
【０１１７】
尚、音響出力装置１が耳１００、１００に装着された状態において、音導フック１６、１６における着脱部７、７の開口７ｂ、７ｂがそれぞれ耳甲介腔１１４、１１４に位置されてもよい（図１３参照）。
【０１１８】
また、着脱部７、７の開口７ｂ、７ｂはそれぞれ外耳道１１３、１１３又は耳甲介腔１１４、１１４に位置されていなくてもよく、耳介１０１、１０１の内側空間１５０、１５０に位置されていれば外耳道１１３、１１３及び耳甲介腔１１４、１１４から離れて位置されていてもよい。
【０１１９】
尚、使用者の耳１００の形状や大きさによっては、着脱部７、７の開口７ｂ、７ｂが耳介１０１、１０１の内側空間１５０、１５０の外側に位置されていてもよい。
【０１２０】
上記のように、音響出力装置１は耳１００、１００に装着された状態において、配置部５、５がそれぞれ耳介１０１、１０１の後側において頭部２００に接触された状態で位置される（図９乃至図１１参照）。
【０１２１】
従って、音導フック１６、１６が耳介１０１、１０１の根元部分に装着されると共に配置部５、５が頭部２００に接触された状態で音響出力装置１が耳１００、１００に装着されるため、音響出力装置１を安定した状態で耳１００、１００に装着することができる。
【０１２２】
また、耳介１０１、１０１の前側に配置部５、５と筐体２、２の内部に配置されたケース体８等の構造物とが存在しないため、耳介１０１、１０１の前側に存在する構造物が小さくなり、頭部伝達関数への影響が抑制されて空間知覚能力の低下を抑制することができる。
【０１２３】
さらに、着脱部７、７の開口７ｂ、７ｂが外耳道１１３、１１３の近傍又は外耳道１１３、１１３の外耳孔１１３ａ、１１３ａ付近に位置されるため、音声の発せられる位置が外耳道１１３、１１３の近傍に存在し、音声を良好に聞き取ることができる。
【０１２４】
音響出力装置１が耳１００、１００に装着された状態において、バンド４は頭部２００の後側に位置される。このときバンド４は上下方向が幅方向になる向きの帯状に形成されているため、頭部２００の後側において重力によって垂れ下がり難く、使用者の首３００に接触され難い（図９参照）。
【０１２５】
従って、バンド４が首３００や頭部２００に非接触の状態になり易く、音響出力装置１の良好な装着状態を確保することができる。
【０１２６】
上記のように音響出力装置１が耳１００、１００に装着された状態において、筐体２の外面側から操作片部１３ａ、１３ｂ、１３ｂを押圧操作することにより、電源スイッチ１２ａ又は音量調節スイッチ１２ｂ、１２ｂが操作されて電源の投入や遮断又は音量の変更が行われる。電源スイッチ１２ａが操作されて電源が投入されると、スピーカー９、９からケース体８に形成された音声出力孔８ｃ、８ｃ及び音導フック１６、１６の音導空間１６ａ、１６ａを通って開口７ｂ、７ｂ、・・・から外耳道１１３、１１３へ向けて音声が発せられる。
【０１２７】
＜音響出力装置の他の例＞
上記には、それぞれ一対の筐体２、２と耳宛部３、３とバンド４を有する音響出力装置１の例を示したが、例えば、以下のように、一つずつの筐体２と耳宛部３を有する音響出力装置１Ａを設けることも可能である（図１４参照）。
【０１２８】
尚、以下に示す音響出力装置１Ａは、上記した音響出力装置１と比較して、筐体と耳宛部の数が異なりバンドが設けられていないこと及び筐体の内部構造が異なることのみが相違するため、音響出力装置１と比較して異なる部分についてのみ詳細に説明をし、その他の部分については音響出力装置１における同様の部分に付した符号と同じ符号を付して説明は省略する。
【０１２９】
音響出力装置１Ａは一つずつの筐体２と耳宛部３を有している。
【０１３０】
筐体２の内部にはケース体８が配置され、ケース体８の内部にスピーカー９と制御基板１０と電池１１が配置されている。ケース体８にはスイッチ用基板１２が取り付けられ、スイッチ用基板１２の外面側には操作板１３が配置されている。制御基板１０と電池１１は何れがスピーカー９側に配置されていてもよい。電池１１の電力はスピーカー９と制御基板１０に供給されてスピーカー９と制御基板１０が駆動される。
【０１３１】
尚、筐体２には、例えば、ＵＳＢ（Universal Serial Bus）端子や充電端子等の各種の接続端子、マイクロフォン用の音声入力孔等が形成されていてもよい。筐体２に接続端子が形成されている場合には筐体２の内部に接続端子に対応する回路が配置され、筐体２にマイクロフォン用の音声入力孔が形成されている場合には筐体２の内部にマイクロフォンが配置される。
【０１３２】
音響出力装置１Ａは、音導フック１６が頭部２００のうち左側又は右側の耳介１０１の根元部分、即ち、耳介１０１と側頭部２０１の境界部分又はその周辺部分に耳輪１０２側（上側）から装着され、耳宛部３が耳介１０１の根元部分、即ち、耳介１０１と側頭部２０１の境界部分又はその周辺部分に耳垂１１２側（下側）から装着される。
【０１３３】
音導フック１６と耳宛部３が耳介１０１の根元部分に装着された状態においては、配置部５が側頭部２０１における耳介１０１の後側の部分に押し当てられる。
【０１３４】
このとき着脱部７は先端部が耳介１０１に非接触の状態で少なくとも一部が耳介１０１の内側空間１５０に位置される。着脱部７は外耳孔１１３ａの全体を塞がない状態にされ、開口７ｂが外耳道１１３の外耳孔１１３ａ付近に位置され、音導フック１６の開口７ｂ、７ｂを有する部分が耳１００に非接触の状態とされる。
【０１３５】
音導フック１６の開口７ｂ、７ｂを有する部分は耳介１０１の内側空間１５０において耳甲介腔１１４又は外耳道１１３に位置される。
【０１３６】
但し、音導フック１６の開口７ｂ、７ｂを有する部分は耳甲介腔１１４又は外耳道１１３に位置されていなくてもよく、内側空間１５０に位置されていれば外耳道１１３及び耳甲介腔１１４から離れて位置されていてもよい。
【０１３７】
尚、使用者の耳１００の形状や大きさによっては、音導フック１６の開口７ｂ、７ｂを有する部分が耳介１０１の内側空間１５０の外側に位置されていてもよい。
【０１３８】
上記したように、音響出力装置１Ａは、筐体２と耳宛部３がそれぞれ一つずつ設けられ、筐体２の内部に電池１１が配置されている。
【０１３９】
従って、片側の耳１００に音導フック１６を装着して使用することが可能になり、音響出力装置１Ａの耳１００に対する装着が容易になり使い勝手の向上を図ることができる。
【０１４０】
また、片側の耳１００にのみ装着されるため、耳１００に装着されたときの使用者への負担が小さくなり、音響出力装置１Ａの良好な装着感を確保することができる。
【０１４１】
上記には、無線通信によって音楽プレーヤー等の他の機器から音声信号を受信する音響出力装置１、１Ａの例を示したが、以下のように、有線接続によって音楽プレーヤー等の他の機器から音声信号が入力される音響出力装置１Ｂを構成することも可能である（図１５参照）。
【０１４２】
尚、音響出力装置１Ｂは、音響出力装置１のような二つのスピーカー９、９を有するタイプでもよく、また、音響出力装置１Ａのように一つのスピーカー９を有するタイプでもよいが、以下には、二つのスピーカー９、９を有するタイプの音響出力装置１Ｂを例として説明する。
【０１４３】
音響出力装置１Ｂは筐体２、２と耳宛部３、３とバンド４を有し、例えば、一方の筐体２にケーブル１７が連結されている。ケーブル１７は一端部がスピーカー９とスイッチ用基板１２に各別に接続されている。ケーブル１７の他端部にはコネクター１８が設けられ、コネクター１８は音楽プレーヤー等の他の機器の出力端子部に接続される。二つのスピーカー９、９は一対の筐体２、２とバンド４の内部に配設された電線によって接続されている。
【０１４４】
尚、音響出力装置１Ｂにあっては、ケーブル１７がバンド４又は耳宛部３に連結されてスピーカー９とスイッチ用基板１２に各別に接続されていてもよい。
【０１４５】
スピーカー９はケース体８の内部に配置され、スイッチ用基板１２はケース体８の外面に取り付けられ、スイッチ用基板１２の外面側に操作板１３が配置されている。
【０１４６】
筐体２、２の内部には制御基板１０と電池１１が配置されておらず、音響出力装置１Ｂへの電源の供給と音声信号の入力は音楽プレーヤー等の他の機器からケーブル１７を介して行われる。
【０１４７】
このように音響出力装置１Ｂにあっては、有線接続によって音声信号が入力され、筐体２、２の内部に制御基板１０と電池１１が配置されていないため、軽量化を図ることができると共に内部構造の簡素化を図ることができる。
【０１４８】
また、音響出力装置１Ｂにおいては、上記のように軽量化が図られるため、耳１００に装着された状態において耳１００に過度の負荷が付与されず、耳１００への違和感のない良好な装着状態を確保することができる。
【０１４９】
＜まとめ＞
以上に記載した通り、音響出力装置１、１Ａ、１Ｂにあっては、スピーカー９と筐体２と耳宛部３を備え、筐体２に開口７ｂを有する音導フック１６が設けられ、音導フック１６が耳介１０１の根元部分に耳輪１０２側から装着され、耳宛部３が耳介１０１の根元部分に耳垂１１２側から装着される。
【０１５０】
従って、音導フック１６が耳介１０１の根元部分に耳輪１０２側から装着されると共に耳宛部３が耳介１０１の根元部分に耳垂１１２側から装着され、音導フック１６と耳宛部３が略反対側から耳１００に装着されるため、音響出力装置１、１Ａ、１Ｂの耳１００に対する安定した装着状態を確保することができる。
【０１５１】
また、音導フック１６と耳宛部３が連続する略同じ曲率の円弧状に形成されているため、音導フック１６と耳宛部３が耳介１０１の根元部分の形状に略一致された形状に形成され、耳１００への安定した違和感のない装着状態を確保することができる。
【０１５２】
さらに、耳宛部３が音導フック１６より硬度の低い材料によって形成されているため、耳介１０１の根元部分に耳輪１０２側から装着される音導フック１６の硬度が高く耳介１０１の根元部分に耳垂１１２側から装着される耳宛部３の硬度が低くなる。
【０１５３】
従って、音響出力装置１、１Ａ、１Ｂが耳１００に装着された状態において、音導フック１６が変形され難いと共に耳宛部３から耳介１０１の根本部分に過度の負荷が付与されず、音響出力装置１、１Ａ、１Ｂの耳１００への安定かつ良好な装着状態を確保することができる。
【０１５４】
さらにまた、音響出力装置１、１Ａ、１Ｂにあっては、スピーカー９から出力された音声が音導フック１６を介して使用者に伝達されると共に音導フック１６の先端部が耳１００に接触されない状態で装着されるため、スピーカー９から出力される音声と外部の音声との良好な認識性を確保することができ、装着状態における違和感の発生を低減することができる。
【０１５５】
また、音響出力装置１、１Ａ、１Ｂにあっては、スピーカー９から出力された音声が音導フック１６の音導空間１６ａを導かれて認識され、耳骨に振動が伝達されて音声の認識が行われる骨伝導方式にはされていないため、音声領域における低域の再現性が高くなり、低音の聞き取りを行い易くなる。
【０１５６】
さらに、音導フック１６の先端部が耳１００に接触されず外耳道１１３が閉塞されないため、低音の良好な再現性を確保することができると共に頭部伝達関数が変化し難く外部の音声を正しく認識することができる。
【０１５７】
さらにまた、音響出力装置１、１Ａ、１Ｂが耳１００に装着された状態において、音導フック１６の開口７ｂ、７ｂが耳介１０１の内側空間１５０に位置されている場合には、開口７ｂ、７ｂが外耳道１１３に近付いて位置されるため、スピーカー９から出力される音声と外部の音声との良好な認識性を確保することができる。
【０１５８】
また、音響出力装置１、１Ａ、１Ｂが耳１００に装着された状態において、音導フック１６の開口７ｂ、７ｂが耳甲介腔１１４に位置される場合には、開口７ｂ、７ｂが外耳道１１３に一層近付いて位置されるため、スピーカー９から出力される音声と外部の音声との一層良好な認識性を確保することができる。
【０１５９】
加えて、音響出力装置１、１Ａ、１Ｂが耳１００に装着された状態において、音導フック１６の開口７ｂ、７ｂが外耳道１１３に位置される場合には、開口７ｂ、７ｂが鼓膜に近付いて位置されるため、スピーカー９から出力される音声と外部の音声とのより一層良好な認識性を確保することができる。
【０１６０】
＜本技術＞
本技術は、以下のような構成にすることができる。
【０１６１】
（１）
音声を出力するスピーカーと、
内部の空間が前記スピーカーから出力される音声を導く音導空間として形成された音導フックを有すると共に内部に前記スピーカーが配置された筐体と、
前記筐体に連続して設けられた耳宛部とを備え、
前記音導フックには音声を耳へ向けて発する開口が形成され、
前記音導フックが耳介の根元部分に耳輪側から装着され、
前記耳宛部が耳介の根元部分に耳垂側から装着される
音響出力装置。
【０１６２】
（２）
前記開口が前記耳介の内側空間に位置される
前記（１）に記載の音響出力装置。
【０１６３】
（３）
前記開口が耳甲介腔に位置される
前記（２）に記載の音響出力装置。
【０１６４】
（４）
前記開口が前記音導フックにおける外耳道に対向する側に形成された
前記（１）から前記（３）の何れかに記載の音響出力装置。
【０１６５】
（５）
前記音導フックの前記開口を有する部分が前記音導フックの他の部分に対して着脱可能な着脱部として設けられた
前記（１）から前記（４）の何れかに記載の音響出力装置。
【０１６６】
（６）
前記音導フックと前記耳宛部が連続する略同じ曲率の円弧状に形成された
前記（１）から前記（５）の何れかに記載の音響出力装置。
【０１６７】
（７）
前記耳宛部が前記音導フックより硬度の低い材料によって形成された
前記（１）から前記（６）の何れかに記載の音響出力装置。
【０１６８】
（８）
前記耳宛部が前記音導フックに対して弾性変形可能にされた
前記（１）から前記（７）の何れかに記載の音響出力装置。
【０１６９】
（９）
耳に装着された状態において前記音導フックの前記開口を有する部分が耳に非接触の状態とされる
前記（１）から前記（８）の何れかに記載の音響出力装置。
【０１７０】
（１０）
前記筐体の内部にケース体が配置され、
前記ケース体の内部に前記スピーカーと前記スピーカーを制御する制御基板とが配置された
前記（１）から前記（９）の何れかに記載の音響出力装置。
【０１７１】
（１１）
前記筐体と前記耳宛部がそれぞれ一対ずつ設けられ、
前記一対の筐体の内部にそれぞれ前記スピーカーが配置された
前記（１）から前記（１０）の何れかに記載の音響出力装置。
【０１７２】
（１２）
一方の前記筐体の内部に制御基板が配置され、
他方の前記筐体の内部に電池が配置された
前記（１１）に記載の音響出力装置。
【０１７３】
（１３）
前記一対の筐体を連結するバンドが設けられた
前記（１１）又は前記（１２）に記載の音響出力装置。
【０１７４】
（１４）
前記バンドが帯状に形成された
前記（１３）に記載の音響出力装置。
【０１７５】
（１５）
前記筐体と前記耳宛部がそれぞれ一つずつ設けられ、
前記筐体の内部に電池が配置された
前記（１）から前記（１０）の何れかに記載の音響出力装置。
【０１７６】
（１６）
前記筐体の一部が耳介の後側において側頭部に接触された状態で位置される
前記（１）から前記（１５）の何れかに記載の音響出力装置。
【０１７７】
（１７）
前記音導フックが屈曲可能にされた
前記（１）から前記（１６）の何れかに記載の音響出力装置。
【符号の説明】
【０１７８】
２００…頭部、１００…耳、１０１…耳介、１０２…耳輪、１１２…耳垂、１５０…内側空間、１１３…外耳道、１１４…耳甲介腔、１…音響出力装置、２…筐体、３…耳宛部、４…バンド、７…着脱部、７ｂ…開口、８…ケース体、９…スピーカー、１０…制御基板、１１…電池、１６…音導フック、１６ａ…音導空間、１Ａ…音響出力装置、１Ｂ…音響出力装置
【図１】
2017134968.tif 000003
【図２】
2017134968.tif 000004
【図３】
2017134968.tif 000005
【図４】
2017134968.tif 000006
【図５】
2017134968.tif 000007
【図６】
2017134968.tif 000008
【図７】
2017134968.tif 000009
【図８】
2017134968.tif 000010
【図９】
2017134968.tif 000011
【図１０】
2017134968.tif 000012
【図１１】
2017134968.tif 000013
【図１２】
2017134968.tif 000014
【図１３】
2017134968.tif 000015
【図１４】
2017134968.tif 000016
【図１５】
2017134968.tif 000017
【国際調査報告】
2017134968.tif 000018
2017134968.tif 000019
2017134968.tif 000020
2017134968.tif 000021